(57)【要約】【課題】接触不良を低減する端子を搭載した電子装置を提供する。【解決手段】第１の端子１３を搭載した電子装置１１であって、第１の端子１３は、外部の第２の端子２８が電気的に接続される最終接触領域１４と、第２の端子２８が最終接触領域１４に至るまでに接触しながら第１の端子１３に対して相対的に移動する移動領域１５とを有し、移動領域１５は、最終接触領域１４に第２の端子２８によって運搬される異物Ｄの量を低減する異物取り部１６を有することを特徴とする電子装置を提供する。【選択図】図１
2008277668.tif 000002
【特許請求の範囲】
【請求項１】
第１の端子を搭載した電子装置であって、
前記第１の端子は、
外部の第２の端子が電気的に接続される接触領域と、
前記第２の端子が前記接触領域に至るまでに接触しながら前記第１の端子に対して相対的に移動する移動領域とを有し、
前記移動領域は、前記接触領域に前記第２の端子によって運搬される異物の量を低減する異物取り部を有することを特徴とする電子装置。
【請求項２】
前記異物取り部は、溝、突起、段差の少なくとも一つを含むことを特徴とする請求項１記載の電子装置。
【請求項３】
前記電子装置は、コネクタ又はプリント配線板であることを特徴とする請求項１又は２記載の電子装置。
【請求項４】
請求項１乃至３のうちいずれか一項記載の電子装置を有することを特徴とする電子機器。
【請求項５】
基板と、
前記基板上に形成され、外部装置のコネクタと電気的に接続される端子とを有し、
前記端子表面に、前記コネクタに付着した、あるいは前記コネクタと前記端子との相対移動によって導かれる異物を落とす凹凸部が形成されていることを特徴とする、電子機器。
【発明の詳細な説明】
【技術分野】
【０００１】
本発明は、一般には、プリント配線板やコネクタなどの電子装置の端子の構造に係り、特に、外部端子が着脱される電子装置の端子の構造に関する。
【背景技術】
【０００２】
近年、電子機器の小型化に伴ってそれに搭載される電子装置及びかかる電子装置に実装される端子も小型化している。各端子の接触面積が減少すれば安定した電気的接続を確保することが益々重要となり、このためには、接触不良を引き起こす異物又はゴミを低減することが重要となる。２つの端子が接触した状態で固定されている場合には、異物が端子間に入り込んで両者の間の接触不良をもたらすことは少ない。換言すれば、異物の影響は、ＰＣＩカードのように、２つの端子の一方が他方に対して着脱される構造、即ち、電気的に接続及び切断が繰り返される構造の場合に問題となる場合が多い。
【０００３】
例えば、図１１に示すように、弾性力のあるコネクタ端子１をプリント基板２のパッド３に接触させて電気的に接続する場合を考える。この場合、コネクタ端子１はパッド３上をＸ１方向に摺動し、パッド３の最終接触領域４で停止してパッド３と電気的に接続する。Ｘ１方向はパッド３から見たコネクタ端子１の挿入方向である。ここで、図１１（ａ）はプリント基板２に配置された複数のパッド３を示す概略拡大斜視図であり、図１１（ｂ）はパッド３上を摺動するコネクタ端子１の概略拡大斜視図である。図１１（ｃ）は図１１（ｂ）のＸ１方向での概略断面図である。
【０００４】
従来技術としては、例えば、特許文献１がある。
【特許文献１】特開０６−１１１８７０号公報
【発明の開示】
【発明が解決しようとする課題】
【０００５】
パッド３上に異物があると、コネクタ端子１によって最終接触領域４まで運搬されてコネクタ端子１とパッド３との接触不良を引き起こす場合がある。また、パッド３上に異物がなくても、コネクタ端子１がプリント基板２の縁部５を通過する際に縁部５を削ってパッド３上に異物を持ち込む場合もある。
【０００６】
本発明は、接触不良を低減する端子を搭載した電子装置に関する。
【課題を解決するための手段】
【０００７】
本発明の一実施例としての電子装置は、第１の端子を搭載した電子装置であって、前記第１の端子は、外部の第２の端子が電気的に接続される接触領域と、前記第２の端子が前記接触領域に至るまでに接触しながら前記第１の端子に対して相対的に移動する移動領域とを有し、前記移動領域は、前記接触領域に前記第２の端子によって運搬される異物の量を低減する異物取り部を有することを特徴とする。かかる電子装置は、異物取り部が異物を低減して第１及び第２の端子間の接触不良を低減する。なお、「第２の端子が前記第１の端子に対して移動する」とは、第１の端子と第２の端子の一方が他方に対して移動すれば足りる趣旨である。
【０００８】
前記異物取り部は、例えば、溝、突起、段差の少なくとも一つを含む。
【０００９】
前記異物取り部は、前記第１の端子の高さ方向と前記第２の端子が前記第１の端子に対して移動する方向に対して垂直に延びることが好ましい。これによって第２の端子が異物取り部と接触する際の衝撃を大きくして異物を取り易くする。前記異物取り部は、前記第１の端子の前記第１の端子の高さ方向と前記第２の端子が前記第１の端子に対して移動する方向に対して垂直な幅方向に亘って形成されていることが好ましい。第２の端子の幅は第１の端子の幅方向にバラツキがあるため、溝、突起、段差の少なくとも一つを第１の端子の幅方向に亘って形成することによって異物低減の実効を図ることができる。前記異物取り部は、前記第２の端子が前記最終接触領域に向かって移動する方向に鋭角な角度をなす面を有してもよい。これによって、異物が溝、突起、段差の少なくとも一つに入り易くなり、異物低減効果を高めることができる。
【００１０】
代替的に、前記異物取り部は、アレイ状の突起又は孔を有してもよい。これによって、おろし金と同様の作用で異物を除去することができる。
【００１１】
前記異物取り部は、前記移動領域の前記最終接触領域とは反対の端部から、前記第２の端子が前記第１の端子に対して移動する方向の前記第１の端子の長さの１／５の距離だけ離れた位置から前記最終接触領域と接触する位置までの範囲に形成されることが好ましい。これによって、第１の端子の移動領域の最終接触領域とは反対の端部の損傷を防止することができる。
【００１２】
前記電子装置は、例えば、コネクタ又はプリント配線板である。
【００１３】
上述の電子装置を有することを特徴とする電子機器は第１及び第２の端子の電気的接続が安定するので装置の電気的特性が安定する。
【００１４】
本発明の別の側面としての電子機器は、基板と、前記基板上に形成され、外部装置のコネクタと電気的に接続される端子をと有し、前記端子表面に、前記コネクタに付着した、あるいは前記コネクタと前記端子との相対移動によって導かれる異物を落とす凹凸部が形成されていることを特徴とする。かかる電子機器も、異物を除去して電気的特性を安定にすることができる。前記端子は、前記電子機器が前記外部装置に装着された際に、前記コネクタが接触する領域を更に有し、前記凹凸部は、前記外部装置への装着方向の、前記コネクタが接触する領域の手前に形成されていることを特徴とする。これにより、コネクタが接触する領域から異物を除去又は低減することができる。
【００１５】
本発明の更なる目的又はその他の特徴は、以下、添付図面を参照して説明される好ましい実施例によって明らかにされるであろう。
【発明の効果】
【００１６】
本発明によれば、接触不良を低減する端子を搭載した電子装置を提供することができる。
【発明を実施するための最良の形態】
【００１７】
以下、添付図面を参照して、本発明の一側面としてのＰＣＩカード１０とノート型パーソナルコンピュータ（以下、「ＰＣ」と称する。）のコネクタ部との接続について説明する。ここで、図１は、ノート型ＰＣ２０にＰＣＩカード１０が挿入される状態を示す概略斜視図である。図２は、ＰＣＩカード１０の接続部とノート型ＰＣ２０内部のコネクタ部の接続を説明するための拡大斜視図である。
【００１８】
ノート型ＰＣ２０は、ヒンジ２１によって接続されたパソコン本体部としてのベース２２と液晶ディスプレイ（ＬＣＤ）ベゼルフレーム２３とを有する。
【００１９】
ベース２２は、正面２２ａにＰＣＩスロット２２ｂが形成されている。ＰＣＩスロット２２ｂは、ＰＣＩカード１０を挿脱するための開口部である。Ｘ１方向はＰＣＩカード１０の挿入方向で、Ｘ２方向はそのイジェクト方向である。ＰＣＩカードをイジェクトする図示しないイジェクトボタンが正面２２ａに設けられている。Ｘ方向はＸ１方向とＸ２方向を総括している。なお、ＰＣＩスロット２２ｂの位置はベース２２の正面２２ａに限定されない。なお、ＰＣＩスロット２２ｂの位置がベース２２の側面などに形成されればそれに合わせてＸ方向も変化する。
【００２０】
ベース２２の上面２２ｃには、情報タイプ用のキーボード２４ａとポインティングデバイス２４ｂとを備えている。ポインティングデバイス２４ｂは、マウス機能の一部をエミュレートし、マウス、タッチパネルなどを含む。ＰＣＩスロット２２ｂの内部には、コネクタ部２６が形成されている。コネクタ部２６には、複数のパッド１３に対応する複数のコネクタ端子２８が形成されている。コネクタ端子２８は従来のコネクタ端子１と同様である。
【００２１】
ＬＣＤベゼルフレーム２３はＬＣＤ画面２３ａが配置され、ＬＣＤベゼルフレーム２３は、ＬＣＤ画面２３ａを保持する実質的に矩形状を有している。
【００２２】
ＰＣＩカード１０とノート型ＰＣ２０は共に電子機器の一例である。但し、本実施例は電子機器の種類を限定するものではなく、電子機器にはパーソナルデジタルアシスタント（ＰＤＡ）、携帯電話、ゲーム機、カメラ、オーディオ機器などを含む。また、カード状媒体の種類も限定されない。
【００２３】
ＰＣＩカード１０は、ノート型ＰＣ２０に挿脱されてノート型ＰＣ２０の機能を拡張する拡張カードの一例である。このように、２つの端子の一方が他方に対して着脱される構造、即ち、電気的に接続及び切断が繰り返される構造の場合に異物の影響は問題となる。
【００２４】
図２に示されるように、ＰＣＩカード１０は、プリント基板（電子装置）１１と、複数のパッド（第１の端子）１３を有する。各パッド１３は、ＰＣ２０に設けられたコネクタ部２６のコネクタ端子（第２の端子）２８と接触しながら電気的に接続される端子である。
【００２５】
図３は、ＰＣＩカード１０のプリント基板１１に形成されたパッド１３の断面図である。図３図示右側が、ＰＣＩカード１０の下端に相当する。各パッド１３は、最終接触領域１４と、移動領域１５と、異物取り部１６とを有する。パッド１３はプリント基板１１からの高さ方向（Ｚ方向）に高さｔを有する。
【００２６】
最終接触領域１４は、図３に示すように、コネクタ端子２８が停止して電気的に接続される平坦な領域である。パッド１３のＸ方向の全長をＬとする。プリント基板１１の端部１２から見ると、最終接触領域１４の最も端部１２に近い位置は端部１２から所定長さだけ離れている。所定長さは、カード１０がコネクタ部２６に装着された状態においてコネクタ端子２８が通常パッド１３上に張り出す長さ又は距離に設定される。一般には、端部１２からＬ／２以上離れている。最終接触領域１４は、コネクタ端子２８の長さがばらついてＸ方向に位置ずれを起こしてもパッド１３と接触できるように、Ｘ方向に十分な長さ（例えば、Ｌ／３程度）を有している。
【００２７】
移動領域１５はコネクタ端子２８が最終接触領域１４に至るまでに接触しながらＸ方向に移動する領域であり、端部１２と最終接触領域１４の間の領域である。Ｘ方向はコネクタ端子２８がパッド１３に対して相対的に移動する方向であるが、実際にはＰＣＩカード１０がノート型ＰＣ２０に対して着脱される方向である。
【００２８】
異物取り部１６は移動領域１５又は移動領域１５と最終接触領域１４との境界に設けられている。図３においては、異物取り部１６は、窪み１６ａと段差１６ｂを含む。異物取り部１６は、最終接触領域１４とＺ方向の高さが異なり、最終接触領域１４にコネクタ端子２８によって運搬される異物の量を低減する機能を有する。異物取り部１６によって、異物を低減してパッド１３とコネクタ端子２８間の接触不良を低減することができる。異物取り部１６は、端部１２からＬ／４乃至Ｌ／５の距離だけ離れた位置から最終接触領域１４までの範囲に形成されることが好ましい。これによって、端部１２の損傷を防止することができる。異物取り部１６は、本実施例では、溝、突起、段差、孔の少なくとも一つを含む。最終接触領域１４に最も近い溝１６ｂの最終接触領域１４の端部１２に最も近い位置からの距離は０以上であればよい。
【００２９】
図４は、異物取り部１６が一つの溝１６Ａからなる例を示す概略断面図である。溝１６Ａは異物が落下するための孔又は堀である。溝１６Ａは断面が正三角形又は二等辺三角形の三角柱形状であるが、四角柱形状や半円柱形状などその形状は限定されない。溝１６Ａの最深部１６Ａ１は最終接触領域１４とＺ方向の高さが異なり、最深部１６Ａ１は最終接触領域１４よりも高さが低い。但し、溝１６Ａの最上位置１６Ａ２は最終接触領域１４の平坦面と同一の高さかこれよりも低い位置にある。溝１６Ａの最上位置１６Ａ２が最終接触領域１４の平坦面よりも高いとコネクタ端子２８が溝１６Ａの上部で浮き上がって最終接触位置１４とコネクタ端子２８との接触不良を招くおそれがあるからである。
【００３０】
図５（ａ）及び図５（ｂ）は、異物取り部１６が複数の溝１６Ａからなる例を示す概略断面図及び概略斜視図である。このように、溝１６Ａの数は限定されない。また、複数の溝１６Ａの間隔は一定であってもよいし異なってもよい。更に、各溝１６Ａの形状や寸法は本実施例では同一であるが異なってもよい。
【００３１】
図６は、異物取り部１６が段差１６Ｂと突起１６Ｃからなる例を示す概略斜視図である。
【００３２】
段差１６Ｂは最終接触領域１４と移動領域１５との間に形成されてコネクタ端子２８に付着した異物を捕獲する。段差１６Ｂは、移動領域１５の最終接触領域１４との境界付近に形成される。段差１６Ｂが端部１２に近い位置に形成されるとその位置から最終接触領域１４の間に異物がある場合にこれが最終接触領域１４に持ち込まれるおそれがあるからである。段差１６Ｂを移動領域１５と最終接触領域１４との境界に形成することにより、最終接触領域１４に異物が持ち込まれることを効果的に防止することができる。
【００３３】
また、図６に示すように、段差１６Ｂの最下位置１６Ｂ１は最終接触領域１４の平坦面よりも低い位置にある。但し、段差１６Ｂの最上位置１６Ｂ２は最終接触領域１４の平坦面と同一の高さかこれよりも低い位置にある。段差１６Ｂの最上位置１６Ｂ２が最終接触領域１４の平坦面よりも高いとコネクタ端子２８が段差１６Ｂの上部で浮き上がって最終接触位置１４とコネクタ端子２８との接触不良を招くおそれがあるからである。
【００３４】
突起１６Ｃは異物を堰き止める盾である。突起１６Ｃは断面が正三角形又は二等辺三角形の三角柱形状であるが、四角柱形状や半円柱形状などその形状は限定されない。突起１６Ｃの最深部１６Ｃ１は最終接触領域１４とＺ方向の高さが異なり、最深部１６Ｃ１は最終接触領域１４よりも高さが低い。但し、突起１６Ｃの最上位置１６Ｃ２は最終接触領域１４の平坦面と同一の高さかこれよりも低い位置にある。突起１６Ｃの最上位置１６Ｃ２が最終接触領域１４の平坦面よりも高いとコネクタ端子２８が突起１６Ｃの上部で浮き上がって最終接触位置１４とコネクタ端子２８との接触不良を招くおそれがあるからである。
【００３５】
溝１６Ａ、段差１６Ｂ及び突起１６Ｃは任意の組み合わせが選択されてもよい。図７（ａ）及び図７（ｂ）は、異物取り部１６が複数の溝１６Ａと段差１６Ｂからなる例を示す概略断面図及び概略斜視図である。
【００３６】
図８は、異物取り部１６が溝１６Ａと突起１６Ｃの両方からなる例を示す概略断面図である。本実施例の突起１６Ｃは、より効果的に異物を取るために、図８に示すように、端部１２から最終接触領域１４に向かうＸ１方向に鋭角な角度θをなす面を有する。これによって、突起１６Ｃは異物を突起に拘束し易くなり、異物低減効果を高めることができる。角度θはコネクタ端子２８が傷つかず、ＰＣＩカード１０がノートＰＣ２０に挿入し易い範囲で決定される。複数の溝１６Ａと突起１６Ｃのそれぞれの寸法は同一でもよいし異なってもよい。また、段差１６Ｂを図８に示す突起１６Ｃのように端部１２から最終接触領域１４に向かうＸ１方向に鋭角な角度θをなす面を設けてもよい。
【００３７】
図９は、コネクタ端子２８と溝１６Ａとの関係を示す概略断面図である。溝１６Ａの深さｈは、本実施例では、０．５ｍｍ以上である。溝１６ＡのＸ方向の幅ｗは、本実施例では、０．５ｍｍ以上である。溝１６Ａはパッド１３に付く単なる傷よりも大きな寸法を有してコネクタ端子２８のパッドと接触する領域Ａに付着した異物Ｄを除去することが好ましい。このため、ｈ及びｔは、例えば、Ｌ／１０以上であることが好ましい。
【００３８】
また、溝１６Ａ、段差１６Ｂ、突起１６Ｃは、Ｘ方向と直交するＹ方向に延びることが好ましい。これによってコネクタ端子２８が異物取り部１６と接触する際の衝撃を大きくして異物を取り易くする。また、溝１６Ａ、段差１６Ｂ、突起１６Ｃは、パッド１３のＹ方向の全幅に亘って形成されていることが好ましい。コネクタの幅はバラツキがあるため、溝、突起、段差の少なくとも一つをパッド１３の幅方向に亘って形成することによって異物低減の実効を図ることができる。
【００３９】
なお、異物取り分としては、図１０に示すように、おろし金のように、複数の微小な刃又は孔をパッド１３上に設けてもよい。この場合には、孔１６Ｄと突起１６Ｅは、例えば、円柱形状となり、ＸＹ平面状にアレイ状に設けられる。ここで、図１０は、異物取り部１６が段差１６Ｂと複数の孔１６Ｄと複数の突起１６Ｅを有する例の概略斜視図である。
【００４０】
ＰＣＩカード１０の挿入時にはパッド１３の異物取り部１６がコネクタ端子２８と接触して異物を除去するのでパッド１３の最終接触領域１４とコネクタ端子２８との電気的接続は安定する。この結果、ＰＣＩカード１０とノート型ＰＣ２０との通信も安定する。
【００４１】
その他、本発明は以下の事項を開示する。
【００４２】
（付記１）  第１の端子を搭載した電子装置であって、
前記第１の端子は、
外部の第２の端子が電気的に接続される接触領域と、
前記第２の端子が前記接触領域に至るまでに接触しながら前記第１の端子に対して相対的に移動する移動領域とを有し、
前記移動領域は、前記接触領域に前記第２の端子によって運搬される異物の量を低減する異物取り部を有することを特徴とする電子装置。（１）
（付記２）  前記異物取り部は、溝、突起、段差の少なくとも一つを含むことを特徴とする付記１記載の電子装置。（２）
（付記３）  前記異物取り部は、前記第１の端子の高さ方向と前記第２の端子が前記第１の端子に対して移動する方向に対して垂直に延びることを特徴とする付記２記載の電子装置。
【００４３】
（付記４）  前記異物取り部は、前記第１の端子の前記第１の端子の高さ方向と前記第２の端子が前記第１の端子に対して移動する方向に対して垂直な幅方向に亘って形成されていることを特徴とする付記２記載の電子装置。
【００４４】
（付記５）  前記異物取り部は、前記第２の端子が前記最終接触領域に向かって移動する方向に鋭角な角度をなす面を有することを特徴とする付記２記載の電子装置。
【００４５】
（付記６）  前記異物取り部は、アレイ状の突起又は孔を有することを特徴とする付記１記載の電子装置。
【００４６】
（付記７）  前記異物取り部は、前記移動領域の前記最終接触領域とは反対の端部から、前記第２の端子が前記第１の端子に対して移動する方向の前記第１の端子の長さの１／５以上の距離だけ離れた位置から前記最終接触領域と接触する位置までの範囲に形成されることを特徴とする付記１乃至６のうちいずれか一項記載の電子装置。
【００４７】
（付記８）  前記電子装置は、コネクタ又はプリント配線板であることを特徴とする付記１乃至７のうちいずれか一項記載の電子装置。（３）
（付記９）  付記１乃至８のうちいずれか一項記載の電子装置を有することを特徴とする電子機器。（４）
（付記１０）  基板と、
前記基板上に形成され、外部装置のコネクタと電気的に接続される端子をと有し、
前記端子表面に、前記コネクタに付着した、あるいは前記コネクタと前記端子との相対移動によって導かれる異物を落とす凹凸部が形成されていることを特徴とする、電子機器。
【００４８】
（付記１１）  前記端子は、前記電子機器が前記外部装置に装着された際に、前記コネクタが接触する領域を更に有し、
前記凹凸部は、前記外部装置への装着方向の、前記コネクタが接触する領域の手前に形成されていることを特徴とする、付記１０に記載の電子機器。
【００４９】
以上、本発明の実施の形態を説明したが、本発明はこれらの実施の形態に限定されず、その要旨の範囲内で様々な変形及び変更が可能である。例えば、本実施例では、プリント基板１１のパッド１３に異物取り部１６を形成しているが、コネクタ部のコネクタ端子に異物取り部１６を形成してもよい。
【図面の簡単な説明】
【００５０】
【図１】本発明の一実施例のＰＣＩカードがノート型ＰＣ挿入される状態を示す概略斜視図である。
【図２】図１に示すＰＣＩカードの接続部とノート型ＰＣ内部のコネクタ部の接続を説明するための拡大斜視図である。
【図３】図２に示すパッドの一例の概略断面図である。
【図４】異物取り部が一つの溝からなるパッドの例を示す概略断面図である。
【図５】図５（ａ）及び図５（ｂ）は、異物取り部が複数の溝からなるパッドの例を示す概略断面図及び概略斜視図である。
【図６】異物取り部が段差と突起からなるパッドを示す概略斜視図である。
【図７】図７（ａ）及び図７（ｂ）は、異物取り部が複数の溝と段差からなるパッドの例を示す概略断面図及び概略斜視図である。
【図８】異物取り部が溝と突起の両方からなるパッドの例を示す概略断面図である。
【図９】コネクタ端子２８と溝１６Ａとの関係を示す概略断面図である。
【図１０】異物取り部が段差と複数の突起と複数の孔を有するパッドの例を示す概略斜視図である。
【図１１】図１１（ａ）は従来のプリント基板に配置された複数のパッドを示す概略拡大斜視図であり、図１１（ｂ）は従来のパッド上を摺動するコネクタ端子の概略拡大斜視図である。図１１（ｃ）は図１１（ｂ）の概略断面図である。
【符号の説明】
【００５１】
１０        ＰＣＩカード（電子機器）
１１        プリント基板（電子装置）
１２        端部
１３        パッド（第１の端子）
１４        最終接触領域
１５        移動領域
１６        異物取り部
１６Ａ      溝
１６Ｂ      段差
１６Ｃ      突起
１６Ｄ      孔
２０        ノート型パーソナルコンピュータ（電子機器）
２８        コネクタ端子（第２の端子）
【図５】
2008277668.tif 000003
【図６】
2008277668.tif 000004
【図１】
2008277668.tif 000005
【図２】
2008277668.tif 000006
【図３】
2008277668.tif 000007
【図４】
2008277668.tif 000008
【図７】
2008277668.tif 000009
【図８】
2008277668.tif 000010
【図９】
2008277668.tif 000011
【図１０】
2008277668.tif 000012
【図１１】
2008277668.tif 000013